(57)【要約】【課題】蛇腹部の柔軟性を確保しつつ、電線と蛇腹部とが擦れることを抑制すること。【解決手段】グロメット１００は、電線又は電線束である電線部４を挿通可能な筒状に形成され、周方向に沿って形成された凸状の山部２と凹状の谷部３とが、延在方向において交互に連なった蛇腹部１と、凹状の谷部３の内周面に形成され、凹状の谷部３の内周面側で凸状を成す内側凸部７と、を備える。グロメット付電線１１０は、グロメット１００と、グロメット１００に挿通された電線部４と、を備える。【選択図】図２
2017028759.tif 000002
【特許請求の範囲】
【請求項１】
電線又は電線束である電線部を挿通可能な筒状に形成され、
周方向に沿って形成された凸状の山部と凹状の谷部とが、延在方向において交互に連なった蛇腹部と、
前記凹状の谷部の内周面に形成され、前記凹状の谷部の内周面側で凸状を成す内側凸部と、を備える、グロメット。
【請求項２】
請求項１に記載のグロメットであって、
前記内側凸部における前記電線部との接触面が、前記延在方向において滑らかな湾曲面である、グロメット。
【請求項３】
請求項１又は請求項２に記載のグロメットであって、
前記内側凸部は、前記蛇腹部よりも硬い、グロメット。
【請求項４】
請求項１から請求項３のいずれか１項に記載のグロメットであって、
前記内側凸部が、前記凹状の谷部の内側面全周に亘って形成されている、グロメット。
【請求項５】
請求項１から請求項３のいずれか１項に記載のグロメットであって、
前記内側凸部が、前記凹状の谷部の内側面の前記周方向における一部に形成されている、グロメット。
【請求項６】
請求項１から請求項５のいずれか１項に記載のグロメットと、
前記グロメットに挿通された電線又は電線束である電線部と、を備える、グロメット付電線。
【請求項７】
請求項６に記載のグロメット付電線であって、
前記電線部を前記蛇腹部内で一定位置に保持した状態で、前記延在方向から見て前記電線部の外周面上に前記内側凸部の先端が位置する、グロメット付電線。
【発明の詳細な説明】
【技術分野】
【０００１】
本発明は、電線を保護するグロメット及びグロメット付電線に関する。
【背景技術】
【０００２】
例えば、グロメットを備えるワイヤーハーネスにおいては、電線の周囲をグロメットが覆うことで電線が保護される。
【０００３】
ここで、特許文献１には、蛇腹構造のグロメットが示されている。このグロメットでは、谷部の外周面側の部分又は山部の内周面側の部分又はその両方にリブが設けられている。
【先行技術文献】
【特許文献】
【０００４】
【特許文献１】特開２００３−０８７９４５号公報
【発明の概要】
【発明が解決しようとする課題】
【０００５】
ところで、グロメットの蛇腹部が曲げられた際に、蛇腹部が内周側に凹み、中の電線と蛇腹部とが擦れることがある。その結果、例えば、蛇腹部に穴が開いてしまうことが懸念される。
【０００６】
一方、特許文献１に示されるグロメットでは、蛇腹部の谷部の外周面側で山部間を埋めるリブ又は蛇腹部の山部の内周面側で谷部間を埋めるリブ又はその両方により、電線と蛇腹部とが擦れた場合でも、穴が開きにくい。しかしながら、特許文献１に示される例では、蛇腹部の柔軟性がリブによって損なわれてしまう。
【０００７】
本発明は、蛇腹部の柔軟性を確保しつつ、電線と蛇腹部とが擦れることを抑制することを目的とする。
【課題を解決するための手段】
【０００８】
第１態様に係るグロメットは、電線又は電線束である電線部を挿通可能な筒状に形成され、周方向に沿って形成された凸状の山部と凹状の谷部とが、延在方向において交互に連なった蛇腹部と、前記凹状の谷部の内周面に形成され、前記凹状の谷部の内周面側で凸状を成す内側凸部と、を備える。
【０００９】
第２態様に係るグロメットは、第１態様に係るグロメットの一態様である。第２態様に係るグロメットにおいては、前記内側凸部における前記電線部との接触面が、前記延在方向において滑らかな湾曲面である。
【００１０】
第３態様に係るグロメットは、第１態様又は第２態様に係るグロメットの一態様である。第３態様に係るグロメットにおいては、前記内側凸部は、前記蛇腹部よりも硬い。
【００１１】
第４態様に係るグロメットは、第１態様から第３態様のいずれか１つに係るグロメットの一態様である。第４態様に係るグロメットにおいては、前記内側凸部が、前記凹状の谷部の内側面全周に亘って形成されている。
【００１２】
第５態様に係るグロメットは、第１態様から第３態様のいずれか１つに係るグロメットの一態様である。第５態様に係るグロメットにおいては、前記内側凸部が、前記凹状の谷部の内側面の前記周方向における一部に形成されている。
【００１３】
第６態様に係るグロメット付電線は、第１態様から第５態様のいずれか１つに係るグロメットと、前記グロメットに挿通された電線又は電線束である電線部と、を備える。
【００１４】
第７態様に係るグロメット付電線は、第６態様に係るグロメット付電線の一態様である。第７態様に係るグロメット付電線においては、前記電線部を前記蛇腹部内で一定位置に保持した状態で、前記延在方向から見て前記電線部の外周面上に前記内側凸部の先端が位置する。
【発明の効果】
【００１５】
上記の各態様においては、グロメットが曲げられた際に、内側凸部に電線部が接触することで蛇腹部に電線部が接触しにくい。これにより、蛇腹部と電線部とが擦れてしまうことを抑制できる。また、内側凸部は、谷部の内周面側で凸状に形成されているため、蛇腹部の山部及び谷部の伸縮変形に悪影響を及ぼしにくい。以上より、蛇腹部の柔軟性を確保しつつ、電線部と蛇腹部とが擦れることを抑制できる。
【００１６】
また、第２態様においては、内側凸部における電線部との接触面が、グロメットの延在方向において滑らかな湾曲面である。この場合、内側凸部と接触することで電線部が傷ついてしまうことを抑制できる。
【００１７】
また、第３態様においては、内側凸部は、蛇腹部よりも硬く形成されている。この場合、内側凸部の耐摩耗性を向上させることができる。
【００１８】
また、第４態様では、内側凸部が、凹状の谷部の内側面全周に亘って形成されている。この場合、電線部が蛇腹部に接触することをより確実に抑制できる。
【００１９】
また、第５態様では、内側凸部が、凹状の谷部の内側面の周方向における一部に形成されている。この場合、蛇腹部が凹む恐れのある部分のみに内側凸部を設けることで、グロメットの構造を簡素化することができる。
【００２０】
また、第６態様でも、蛇腹部の柔軟性を確保しつつ、電線部と蛇腹部とが擦れることを抑制できる。
【００２１】
また、第７態様では、電線部を蛇腹部内で一定位置に保持した状態で、延在方向から見て電線部の外周面上に内側凸部の先端が位置する。この場合、内側凸部の先端に電線部の外周面が接するため、電線部及び内側凸部にかかる負荷を抑制でき、また、電線部が内側凸部によってグロメット内で安定に支持される。
【図面の簡単な説明】
【００２２】
【図１】実施形態に係るグロメットの側面図である。
【図２】実施形態に係るグロメット付電線の断面図である。
【図３】実施形態に係るグロメット付電線の断面図である。
【図４】実施形態に係るグロメット付電線の一部拡大断面図である。
【図５】実施形態に係るグロメット付電線の断面図である。
【図６】第１変形例に係るグロメット付電線の断面図である。
【図７】第２変形例に係るグロメット付電線の断面図である。
【図８】第３変形例に係るグロメット付電線の断面図である。
【発明を実施するための形態】
【００２３】
以下、添付の図面を参照しつつ、実施形態について説明する。以下の実施形態は、本発明を具現化した一例であり、本発明の技術的範囲を限定する事例ではない。
【００２４】
＜実施形態＞
まず、図１〜５を参照しつつ、実施形態に係るグロメット１００及びグロメット付電線１１０について説明する。グロメット付電線１１０は、グロメット１００と、グロメット１００に挿通された電線部４と、を備える。グロメット１００は蛇腹部１を含み、曲げ可能に構成されている。
【００２５】
図１は、グロメット付電線１１０におけるグロメット１００の側面図である。図２，３は、グロメット付電線１１０の断面図である。図２は、グロメット１００が曲がっていない状態の、即ち、直線状である場合のグロメット付電線１１０の断面図である。図３は、グロメット１００が曲がった状態のグロメット付電線１１０の断面図である。図２，３は、グロメット１００の延在方向に沿う線に沿って切断した断面図である。図４は、図２の一部拡大断面図である。図５は、図２のＩＩ−ＩＩ線に沿って切断した断面図である。図５は、グロメット１００の延在方向に直交する方向に沿う線に沿って切断した断面図である。
【００２６】
まず、電線部４について説明する。グロメット付電線１１０において、電線部４は、１本の電線又は複数の電線を含む電線束である。電線部４を構成する１本又は複数本の電線は、例えば、銅又はアルミニウム等の金属を主成分とする芯線と、この芯線の周囲を覆う絶縁被覆と、を備える被覆電線であること等が考えられる。
【００２７】
次に、グロメット１００について説明する。グロメット１００は、電線部４を挿通可能な筒状に形成され、蛇腹部１を含む。また、グロメット１００は、蛇腹部１の谷部３の内周面に形成された内側凸部７を備える。また、本実施形態では、蛇腹部１の両端部それぞれには、取付部５が形成されている。従って、ここでは、グロメット１００は、蛇腹部１とその両端各々に設けられた２つの取付部５と内側凸部７とを備える。
【００２８】
図１に示されるように、グロメット１００は、例えば、板状の部材（以下、板状部材９１）に形成された貫通孔９２に取付部５が嵌め込まれることで、板状部材９１に固定される。板状部材９１は、空間を仕切る部材である。板状部材９１は、例えば、車体を構成する金属パネル等であることが考えられる。また、貫通孔９２は、板状部材９１に仕切られた空間に電線を渡すために形成されている。グロメット１００は、貫通孔９２に挿通される電線を貫通孔９２の内縁部から保護すること及び防水などを目的として貫通孔９２に嵌められる。
【００２９】
グロメット１００は、例えば、蛇腹部１で曲げること及び伸縮させることが可能なゴムの部材である。また、グロメット１００は、例えば、金型により一体成型された部材であることが考えられる。
【００３０】
グロメット１００における蛇腹部１は、比較的容易に曲げることが可能な部分である。蛇腹部１においては、周方向に沿って形成された凸状の山部２と、周方向に沿って形成された凹状の谷部３と、が延在方向において交互に連なって形成されている。
【００３１】
グロメット１００の蛇腹部１について説明する。上述のように、蛇腹部１は、山部２及び谷部３を含む。本実施形態では、図１，２に示されるように、山部２は、グロメット１００の外周面側において、湾曲しつつ凸状を成す部分である。山部２は、蛇腹部１の全周に亘って形成されている。
【００３２】
また、ここでは、グロメット１００の延在方向における山部２の寸法は、グロメット１００の外周面側に向かうにつれ小さくなるように形成されている。なお、山部２をグロメット１００の内周面側から見たとき、山部２は開口が内周面側を向く溝を形成している。
【００３３】
次に、蛇腹部１における谷部３について説明する。谷部３は、グロメット１００の延在方向において山部２に連なっている。本実施形態では、谷部３は、グロメット１００の外周面側において、湾曲しつつ凹状を成す部分である。谷部３は、蛇腹部１の全周に亘って形成されている。即ち、谷部３は、蛇腹部１の全周に亘って形成された溝状の部分である。
【００３４】
また、ここでは、グロメット１００の延在方向における谷部３の寸法は、グロメット１００の内周面側に向うにつれ小さくなるように形成されている。
【００３５】
なお、図４に示されるように、本実施形態においては、蛇腹部１は、外周面側に凸となるように湾曲した第一部分１１と、内周面側に凸となるように湾曲した第二部分１２と、第一部分１１と第二部分１２とを繋ぐ直線状の第三部分１３と、を含む。そして、ここでは、第一部分１１及び第三部分１３の一部は、山部２を成す。また、第二部分１２及び第三部分１３の一部は、谷部３を成す。即ち、第三部分１３は、山部２と谷部３とに及ぶ部分である。
【００３６】
次に、グロメット１００における内側凸部７について説明する。内側凸部７は、凹状の谷部３の内周面に形成されている。そして、内側凸部７は、凹状の谷部３の内周面側で凸状を成している。
【００３７】
本実施形態では、図２に示されるように、内側凸部７は、蛇腹部１の谷部３における最も内周面側に突出した部分に連なって形成されている。即ち、内側凸部７は、蛇腹部１を構成する樹脂と同じ樹脂で構成され、蛇腹部１と一体に形成されている。なお、ここでは、図２に示されるように、グロメット１００の延在方向において、蛇腹部１の複数の谷部３に対し、内側凸部７が連続的に設けられている。
【００３８】
また、他の例として、内側凸部７が、蛇腹部１を構成する樹脂と異なる樹脂で構成されている場合も考えられる。この場合、グロメット１００は、二色成形により異なる樹脂で形成された蛇腹部１と内側凸部７とを備えることが考えられる。
【００３９】
なお、本実施形態では、図２に示されるように、グロメット１００の延在方向に沿う線で切断した断面において、蛇腹部１のうち山部２の形状と対称な部分を谷部３と称している。そして、この山部２の対称形状である谷部３の底部からグロメット１００の内周面側に突出する部分を内側凸部７と称している。
【００４０】
即ち、内側凸部７は、谷部３における最も内周面側に凹んだ部分（谷部３の頂点部分）に連なる部分を含んでいる。ここでは、図４に示されるように、内側凸部７は、蛇腹部１の第二部分１２に連なる部分を含む。例えば、内側凸部７は、第二部分１２のみの内周面側に設けられていることが考えられる。即ち、内側凸部７は、谷部３における湾曲した部分に設けられていることが考えられる。なお、内側凸部７が、第二部分１２に連なる部分を含みつつ、直線状の第三部分１３の一部に連なる部分を含むことも考えられる。
【００４１】
なお本実施形態では、図１，２に示されるように、グロメット１００の外周面側において、谷部３における最も凹んだ部分は、蛇腹部１におけるその他の部分、即ち、山部２及び谷部３の最も凹んだ部分以外の部分よりも厚く形成されており、この比較的肉厚に形成された部分のうちグロメット１００の内周面側の部分が内側凸部７を成しているともいえる。また、グロメット１００において、蛇腹部１における谷部３の最も内周面側に突出する部分以外の部分、即ち、山部２及び谷部３の最も内周面側に突出する部分以外の部分が、例えば、一定の厚みで形成されていることも考えられる。
【００４２】
また、本実施形態では、内側凸部７における電線部４との接触面が、グロメット１００の延在方向において滑らかな湾曲面で構成されている。ここでは、図２〜４に示されるように、グロメット１００の延在方向に沿う線で切断した断面において、内側凸部７の先端面が、内周面側に凸の弧状に形成されている。即ち、ここでは、内側凸部７における電線部４との接触面が、グロメット１００の延在方向において滑らかな弧状の湾曲面で構成されている。この場合、内側凸部７が電線部４と接触することで電線部４が傷ついてしまうことを抑制できる。
【００４３】
また、本実施形態では、図５に示されるように、内側凸部７が、凹状の谷部３の内周面全周に亘って形成されている。この場合、電線部４の外周面全体に対し、内側凸部７が接触し易くなる。なお、他の例として、内側凸部７が、凹状の谷部３の内周面の一部に形成されている場合も考えられる。
【００４４】
また、本実施形態のグロメット付電線１１０では、図５に示されるように、電線部４を蛇腹部１内で一定位置に保持した状態で、グロメット１００の延在方向から見て電線部４の外周面上に内側凸部７の先端が位置する。
【００４５】
即ち、ここでは、直線状のグロメット１００に挿通された電線部４の外周面全体若しくは外周面における比較的多くの領域に対し内側凸部７の先端が接する。なお、電線部４が比較的真円形状に近い形状の場合、電線部４の外周面全体に内側凸部７が接触することが考えられる。一方、電線部４の断面がいびつな形状な場合、例えば、電線部４が異なる太さの電線を含む場合等では、内側凸部７は、電線部４の外周面における比較的多くの領域に接触することが考えられる。
【００４６】
また、図２に示されるように、直線状のグロメット１００に電線部４が挿通されると、内側凸部７は、自身が変形していない状態で電線部４に接触する。この場合、例えば、振動等により電線部４が蛇腹部１内で動こうとする力が加わったときに、内側凸部７にかかる負荷を小さくできる。即ち、内側凸部７にかかる負荷を低減しつつ、電線部４を蛇腹部１内で安定して支持できる。
【００４７】
グロメット１００においては、曲げ方向の内側で蛇腹部１における谷部３をはさんで隣り合う山部２間の距離が小さくなるように変形し、曲げ方向の外側で谷部３をはさんで隣り合う山部２間の距離が大きくなるように変形することで、曲げることが可能となる。ここで、グロメット１００に内側凸部７が形成されていない場合、曲げ方向の外側では、山部２間の距離が大きくなるように変形し、谷部３がグロメット１００の延在方向において伸ばされる。グロメット１００の延在方向において伸ばされた状態の谷部３は、比較的その厚みが薄くなる。このため、グロメット１００の延在方向において伸ばされた状態の谷部３と電線部４とが接触し擦れてしまうことで、伸ばされた状態の谷部３に穴が開いてしまうことが懸念される。
【００４８】
一方、本実施形態においては、グロメット付電線１１０におけるグロメット１００が曲げられる際、曲げ方向の外側では、内側凸部７が電線部４に接触するため、伸ばされてその厚みが薄くなった谷部３と電線部４とが接触することが抑制される。これにより、谷部３と電線部４とが接触し擦れてしまうことで、蛇腹部１に穴が開いてしまうことが抑制される。
【００４９】
また、内側凸部７と蛇腹部１とが、異なる樹脂で形成されており、内側凸部７が蛇腹部１よりも硬い場合も考えられる。詳しくは後述する。
【００５０】
また、ここでは、内側凸部７は、グロメット１００の延在方向における内側凸部７の寸法が根元側から先端側に向かうにつれ徐々に小さくなるように先鋭に形成されている。
【００５１】
次に、グロメット１００における取付部５について説明する。本実施形態において、取付部５は、蛇腹部１の両端部それぞれに連なって形成され、このグロメット１００の取付対象である相手側部材（ここでは板状部材９１）に取り付け可能な形状に形成されている。ここでは、取付部５には、板状部材９１の貫通孔９２の内縁部を収容し、嵌合可能な凹部５１が周方向に沿って形成されている。グロメット１００は、凹部５１と貫通孔９２の内縁部との嵌合によって板状部材９１に固定される。
【００５２】
＜効果＞
本実施形態においては、グロメット１００が曲げられた際に、内側凸部７に電線部４が接触することで蛇腹部１に電線部４が接触しにくい。これにより、蛇腹部１と電線部４とが擦れてしまうことを抑制できる。また、内側凸部７は、谷部３の内周面側で連なり凸状に形成されているため、蛇腹部１の山部２及び谷部３の伸縮変形に悪影響を及ぼしにくい。以上より、蛇腹部１の柔軟性を確保しつつ、電線部４と蛇腹部１とが擦れることを抑制できる。その結果、例えば、蛇腹部１に穴が開いてしまうことを抑制できる。
【００５３】
また、本実施形態においては、内側凸部７における電線部４との接触面が、グロメット１００の延在方向において滑らかな湾曲面である。この場合、内側凸部７と接触することで電線部４が傷ついてしまうことを抑制できる。
【００５４】
また、本実施形態では、内側凸部７が、凹状の谷部３の内側面全周に亘って形成されている。この場合、電線部４が蛇腹部１に接触することをより確実に抑制できる。
【００５５】
また、本実施形態では、電線部４を蛇腹部１内で一定位置に保持した状態で、グロメット１００の延在方向から見て電線部４の外周面上に内側凸部７の先端が位置する。この場合、内側凸部７の先端に電線部４の外周面が接するため、電線部４及び内側凸部７にかかる負荷を抑制でき、また、電線部４が内側凸部７によってグロメット１００内で安定に支持される。
【００５６】
＜第１変形例＞
次に、図６を参照しつつ、第１変形例に係るグロメット１００Ａ及びこれを含むグロメット付電線１１０Ａについて説明する。図６は、グロメット１００Ａを含むグロメット付電線１１０Ａの断面図である。図６は、グロメット１００Ａの延在方向に沿う線に沿って切断した断面図である。なお、図６において、図１〜５に示される構成要素と同じ構成要素には、同じ参照符号が付されている。
【００５７】
図６に示されるように、本例のグロメット１００Ａにおいては、内側凸部７が、凹状の谷部３の内周面のグロメット１００Ａの周方向における一部に形成されている。なお、図６に示される例では、内側凸部７は、谷部３の内周面の周方向における半分の領域に形成されている場合の事例が示されている。
【００５８】
本例においては、図６に示されるように、内側凸部７が設けられた側が、曲げ方向の外側となるように、グロメット１００Ａが曲げられる。曲げ方向の外側では、山部２間の距離が大きくなるように変形し、蛇腹部１が内周面側に凹みやすい。即ち、本例では、谷部３の内周面のうち比較的電線部４に接触しやすい部分のみに、内側凸部７が設けられている。
【００５９】
本例では、蛇腹部１の柔軟性を確保しつつ、電線部４と蛇腹部１とが擦れることを抑制でき、さらに、蛇腹部１が凹む恐れのある部分のみに内側凸部７を設けることで、グロメット１００Ａの構造を簡素化することができる。その結果、例えば、グロメット１００Ａの軽量化及びこのグロメット１００Ａの製造に用いられる金型を簡易な構造にすること等が可能となる。
【００６０】
＜第２変形例＞
次に、図７を参照しつつ、第２変形例に係るグロメット１００Ｂ及びこれを含むグロメット付電線１１０Ｂについて説明する。図７は、グロメット付電線１１０Ｂのグロメット１００Ｂの延在方向に直交する線に沿って切断した断面図である。なお、図７において、図１〜６に示される構成要素と同じ構成要素には、同じ参照符号が付されている。
【００６１】
本例のグロメット１００Ｂにおいては、図７に示されるように、凹状の谷部３の内周面には、複数の内側凸部７が設けられている。そして、複数の内側凸部７は、グロメット１００の周方向において間隔を空けて設けられている。なお、図７に示される例では、４つの内側凸部７が、グロメット１００Ｂの周方向において等間隔で設けられている場合の事例が示されている。複数の内側凸部７がグロメット１００Ｂの周方向において等間隔に設けられていると、グロメット１００Ｂに挿通された電線部４がより安定して支持される。
【００６２】
なお、本例において、内側凸部７の数が、４つ以外であってももちろんよい。また、複数の内側凸部７が、グロメット１００Ｂの周方向において等間隔ではなく、不規則に設けられていてもよい。
【００６３】
本例においても、蛇腹部１の柔軟性を確保しつつ、電線部４と蛇腹部１とが擦れることを抑制できる。また、複数（ここでは４つ）の内側凸部７で、電線部４をグロメット１００Ｂ内で安定に支持することができる。即ち、グロメット１００Ｂの構造を簡素化しつつ、電線部４をグロメット１００Ｂ内で安定に支持することができる。
【００６４】
＜第３変形例＞
次に、図８を参照しつつ、第３変形例に係るグロメット１００Ｃ及びこれを含むグロメット付電線１１０Ｃについて説明する。図８は、グロメット１００Ｃの延在方向に沿う線に沿って切断した断面図である。なお、図８において、図１〜７に示される構成要素と同じ構成要素には、同じ参照符号が付されている。
【００６５】
本例では、グロメット１００Ｃが直線状のときに、グロメット１００Ｃに挿通された電線部４の外周面に内側凸部７が接触してない。即ち、グロメット付電線１１０Ｃにおいては、グロメット１００Ｃが直線状のときに、内側凸部７と電線部４との間に隙間が形成されている。この場合、電線部４をグロメット１００Ｃに挿通させる作業を簡易に行うことができる。
【００６６】
また、本例では、グロメット１００Ｃが二色成形によって形成された内側凸部７と蛇腹部１とを含む。そして、グロメット１００Ｃにおいては、内側凸部７が、蛇腹部１よりも硬い。蛇腹部１及び内側凸部７は、ともにゴムで構成されている。そして、蛇腹部１と内側凸部７とを構成するゴムの硬度が異なっており、内側凸部７は、蛇腹部１を構成するゴムよりも硬いゴムによって構成されている。この場合、内側凸部７が電線部４と接触し摩耗することを抑制できる。即ち、内側凸部７の耐摩耗性を向上させることができる。
【００６７】
なお、本例のグロメット付電線１１０Ｃにおいても、グロメット１００Ｃが曲げられると蛇腹部１が凹むことで、内側凸部７が電線部４側に近づき、電線部４の外周面に接触する。これにより、蛇腹部１の柔軟性を確保しつつ、電線部４と蛇腹部１とが擦れることを抑制できる。
【００６８】
＜応用例＞
グロメット付電線１１０において、内側凸部７が曲がった状態で、グロメット１００に挿通された電線部４の外周面に接触している場合も考えられる。例えば、内側凸部７の先端側の部分が、根元側の部分に比べ柔軟に形成されており、内側凸部７の先端側の部分が曲がった状態で電線部４の外周面に接触している場合も考えられる。
【００６９】
また、蛇腹部１が、複数の谷部３のうち内側凸部７が形成されていない谷部３を含む場合も考えられる。即ち、グロメット１００の延在方向において、内側凸部７が、蛇腹部１の複数の谷部３に対し連続的に形成されていない場合も考えられる。
【００７０】
なお、本発明に係るグロメット及びグロメット付電線は、各請求項に記載された発明の範囲において、以上に示された実施形態、各変形例及び応用例を自由に組み合わせること、或いは、実施形態、各変形例及び応用例を適宜、変形する又は一部を省略することによって構成されることも可能である。
【符号の説明】
【００７１】
１  蛇腹部
１００  グロメット
１１０  グロメット付電線
２  山部
３  谷部
４  電線部
７  内側凸部
【図１】
2017028759.tif 000003
【図２】
2017028759.tif 000004
【図３】
2017028759.tif 000005
【図４】
2017028759.tif 000006
【図５】
2017028759.tif 000007
【図６】
2017028759.tif 000008
【図７】
2017028759.tif 000009
【図８】
2017028759.tif 000010